【事件の表示】
　平成１０年特許願第２７６６９３号「パチンコ機」拒絶査定に対する審判事件［平成１１年　６月　２日出願公開、特開平１１−１４６９５３］について、次のとおり審決する。
【結　論】
　本件審判の請求は、成り立たない。
【理　由】
１．手続の経緯及び本願発明
　本願、特願平１０−２７６６９３号は、平成３年９月３０日に特許出願された特願平３−２７６４０６号の出願の一部を平成１０年９月３０日に新たな特許出願としたものであって、その請求項１乃至７に記載された発明は、平成１５年１月２０日付の手続補正書により補正された明細書及び図面の記載からみて、その特許請求の範囲の請求項１乃至７に記載された「パチンコ機」にあると認められるところ、請求項１に記載された発明（以下、「本願発明」という。）は次のとおりのものである。
　【請求項１】　複数の図柄を可変表示する図柄表示装置と、該図柄表示装置を回転表示させることのできる図柄始動口と、上記図柄表示装置が停止表示する図柄の組合せ態様が所定の態様のときに、遊技者に不利な第１状態から遊技者に有利な第２状態に変換可能な変動入賞装置とを配設したパチンコ機において、
　上記図柄始動口を、入球した打球を遊技盤の背面側に取り込んで賞球排出を伴うポケット型の第１図柄始動口と、入球した打球を通過させて賞球排出を伴わない通過型の第２図柄始動口とで構成し、上記第１及び第２図柄始動口を上下に配置したことを特徴とするパチンコ機。
　　　　
２．引用例に記載の発明　
　当審は、平成１４年１１月８日付の拒絶理由通知で、本願の特許請求の範囲に記載の発明は、刊行物である下記の第１乃至３引用例に記載された発明に基づいて当業者が容易に発明をすることができたものであるから、特許法第２９条第２項の規定により特許を受けることができない旨通知した。
　第１引用例．特開平２−１３４１７８号公報
　第２引用例．特開昭６３−２４９７１号公報
　第３引用例．特開昭５８−２２０８０号公報
　　　　　　　　
　（１）第１引用例に記載の発明
　i．第１引用例〔特開平２−１３４１７８号公報〕には、パチンコ遊技機に関し、以下の記載が認められる。
　「遊技盤上に配設され、複数種類の識別情報を可変表示可能な可変表示装置と、前記遊技盤上に配設され、打玉の通過により前記可変表示装置の可変表示を開始又は停止できるように定められた複数個の特定通過口と、前記可変表示装置の可変表示が停止されたときの表示態様が特定表示状態か否かを判定する表示状態判定手段と、該表示状態判定手段の特定表示状態である旨の判定出力に応じて、遊技者に所定の遊技価値を付与する遊技価値付与手段と、を備え、前記複数個の特定通過口は、前記可変表示装置の特定表示状態となる確率が互いに異なる複数種類に分類されていることを特徴とする可変表示装置付弾球遊技機。」（第１頁左下欄第５〜１９行）、
　「第１図を参照して、この実施例が適用される弾球遊技機の一例としてのパチンコ遊技機について説明する。」（第２頁右上欄第１９行〜左下欄第１行）、
　「前記遊技盤１２の表面には、発射された打玉を誘導するための打玉誘導レール１３ａと、該打玉誘導レール１３ａによって誘導された打玉が落下するための遊技領域１４を区画する遊技領域形成レール１３ｂがほぼ円状に植立されている。遊技領域１４のほぼ中央には、複数のドラム状可変表示部材７９ａ〜７９ｃ及び可変表示器７６を有する可変表示装置７０が設けられ、該可変表示装置７０の下方に入賞領域５８を有する可変入賞球装置５６が設けられている。入賞領域５８は、遊技盤１２の表面に対して下端を軸にして開放自在な開閉板５９によって覆われている。そして、可変入賞球装置５６の開閉板５９は、前記可変表示装置７０のドラム状可変表示部材７９ａ〜７９ｃ及び可変表示器７６の識別情報の組み合せが所定の特定表示状態となったときに、特定遊技状態となり、所定期間（例えば、２０秒経過するまで、あるいは１０個の入賞玉が発生するまで）開放するように設定され、その開放している間中遊技領域１４を落下する打玉を受止めるようになっている。」（第２頁右下欄第１４行〜第３頁左上欄第１４行）、
　「可変入賞球装置５６の下方には、前記ドラム状可変表示部材７９ａ〜７９ｃの回転及び可変表示器７６の可変表示を許容する特定入賞口としての始動入賞口１５ａ〜１５ｃが設けられている。この始動入賞口１５ａ〜１５ｃのうち真ん中に設けられる始動入賞口１５ａに打玉が入賞すると、それによって払出される景品玉数は、他の入賞領域に打玉が入賞した際に払出される景品玉数よりも少なくなるように設定されている。」（第３頁左上欄第２０行〜右上欄第８行）、
　「しかして、一般的に上記した始動入賞口１５ａ〜１５ｃのうち中央の始動入賞口１５ａに打玉が一番入賞し易く、次いで、左側の始動入賞口１５ｂに打玉が入賞し易く、右側の始動入賞口１５ｃが一番入賞し難い位置となっている。これは、遊技盤１２のセンターラインに大型の入賞球装置が配置されるのが一般的であるため、そのセンターの入賞球装置に打玉が誘導されるように障害釘２１等が植立されるためである。」（第３頁右上欄第１３行〜左下欄第１行）、
　「なお、図示の始動入賞口１５ａ〜１５ｃは、打玉を入賞するもの（所定個数の景品玉を払い出すもの）であるが、打玉が単に通過して景品玉を払い出さないように構成したものでも良い。更に、遊技領域１４には、前記可変表示装置７０の左右側方及び下部側方に通常入賞口１７ａ，１７ｂ、１８ａ，１８ｂが設けられている。また、可変表示装置７０の上部にも通常入賞口７３が設けられている。なお、この実施例では、始動入賞口１５ａに打玉が入賞した場合には、７個の景品玉が払出され、他の入賞領域に打玉が入賞した場合には、１３個の景品玉が払出されるようになっている。もちろん、始動入賞口１５ａに入賞する確率に応じてこれらの払出される景品玉数の設定を変えることは差し支えない。」（第３頁左下欄第６行〜右下欄第２行）、
　「次に、図２を参照してパチンコ遊技機１の背面の構造について説明する。前記遊技盤１２の裏面には、前記各入賞領域に入賞した入賞玉を左右に振分けながら下方に誘導する誘導径路が形成された入賞玉集合カバー体２５が固定されている。」（第４頁左上欄第１〜５行）。
　ii．第１引用例における前記摘示の記載及び図面第１乃至３図によれば、第１引用例には、以下の発明（以下、「引用発明」という。）が記載されているものと認められる。
　「複数の識別情報を可変表示する可変表示装置７０と、該可変表示装置７０を回転表示させることのできる始動入賞口１５ａ乃至１５ｃと、上記可変表示装置７０が停止表示する識別情報の組合せ態様が所定の態様のときに、入賞領域５８を開閉板５９によって覆う遊技者に不利な状態から、上記入賞領域５８を上記開閉板５９から開放する遊技者に有利な状態に変換可能な可変入賞球装置５６とを配設したパチンコ遊技機において、
　上記始動入賞口１５ａ乃至１５ｃを、入球した打球を遊技盤の背面側に取り込んで所定個数の景品玉を払い出すポケット型の始動入賞口１５ｂ及び１５ｃと、入球した打球を遊技盤の背面側に取り込んで上記所定個数よりも比較的少ない個数の景品玉を払い出すポケット型の始動入賞口１５ａとで、あるいは、打玉が単に通過して景品玉を払い出さない通過型の始動入賞口１５ａ乃至１５ｃで構成し、上記始動入賞口１５ａ乃至１５ｃをほゞ水平に配置したパチンコ遊技機。」
　　　　
　（２）第２引用例に記載の発明
　第２引用例〔特開昭６３−２４９７１号公報〕には、パチンコ遊技機に関し、以下の記載が認められる。
　「この種のパチンコ遊技機において遊技客が最も望むのは、特定入賞口への遊技球の入賞頻度が高いことである。しかるに、従来のパチンコ遊技機では、補助遊技装置の起動の条件となる特定入賞口へ入賞した遊技球に対しても、他の入賞領域への遊技球の入賞と同数の賞品球を与えるように構成されていた。そのため、パチンコ店が遊技客の要望に応えて特定入賞口へ遊技球が入賞し易くなるように障害釘等を調整すると、必然的にそれだけ遊技客に払い出される賞品球が多くなる。従って、その上なお多量の賞品球の払出しが行なわれる特別遊技状態が発生すると、回収球数よりも賞品球数の方が多くなってしまいパチンコ店の経営が困難になるという問題点があった。」（第２頁左下欄第８行〜右下欄第２行）、
　「そして、この遊技領域の中央には、補助遊技装置としての可変表示装置１０４が、またその下方には通常は遊技領域の一部を成しているが、可変表示装置１０４における特定態様の発生により入賞領域に変換する変動入賞装置１０５が設けられている。上記可変表示装置１０４の両側方には、それぞれ第１の特定入賞口１０７が、また、上記可変表示装置１０４と変動入賞装置１０５との間には第２の特定入賞口１０８が設けてある。このうち第１の特定入賞口１０７は、本実施例では、遊技盤１を貫通する凹部を有するいわゆる飛込み型入賞装置からなり、その凹部をもって特定入賞口１０７としている。この貫通凹部の開口すなわち遊技盤面と同一面に存する特定入賞口１０７は、前面から見て、球の直径の約２倍程度の径を有する半円筒状をなすように形成されており、その底部の奥には入賞球の導出穴（図示せず）が設けてある。第２の特定入賞口１０８は遊技領域内に上向きに開口した入賞チャッカーと呼ばれる入賞具からなる。可変表示装置１０４の上方には、いわゆる“天“天の左”“天の右”の３つの入賞口を有する入賞具１０６が設けられている。また、第１の特定入賞口１０７の斜め下方外側には、それぞれチューリップ式打球入賞装置１０９が配置されている。」（第３頁右上欄第５行〜左下欄第１０行）、
　「上記のごとく構成されたパチンコ遊技機は、打球発射装置１０２によって遊技領域内に打ち込まれた打球が特定入賞口１０７または１０８に入賞すると、可変表示装置１０４の表示手段が駆動され、４つの表示窓に各々表示されている数字がそれぞれ変化される。そして、遊技者が保持枠１１３に設けられている可変表示停止手段１１７を押すか、タイマによって設定された時間が経過することによって可変表示が停止され、そのとき表示されている数字が所定の組合せに一致することによって特定態様が発生される。特定態様が発生すると、変動入賞装置１０５が開状態に変換されてそこへの入賞確率がゼロから非常に高い状態（特別遊技状態）に移行される。その結果、比較的短い時間内に多数の入賞球が発生し、多くの賞品球が遊技者に与えられるようになる。」（第４頁左上欄第１２行〜右上欄第８行）、
　「特定の入賞口へ入賞した遊技球に対しては、他の一般の入賞口へ入賞した遊技球に対して払い出される賞品球よりも少ない数の賞品球を排出させるように賞品球排出装置をコントロールすることができるという作用により、補助遊技装置の起動の条件となる特定入賞口への遊技球の入賞確率が高くなるように調整してもパチンコ店の経営が成り立つとともに、遊技客にとっては補助遊技装置の動作回数が多くなることにより特別遊技状態の発生に対する期待感が高められ、また特別遊技の権利消滅に対する不安感も低減され、遊技に対する興趣が向上されるようになるという効果がある。」（第１８頁左上欄第５〜１７行）。
　　
　（３）第３引用例に記載の発明
　第３引用例〔特開昭５８−２２０８０号公報〕には、パチンコ機に関し、以下の記載が認められる。
　「上記した遊技部７内には打球によって達成される第１条件を設定する。この第１条件は、図面の実施例によれば、遊技部７の上方に設けた左右の特定入賞口１０ａ，１０ｂのいずれかに打球が入るか、又は遊技部７の下方に設けた特定入賞枠１０ｃを打球が通過することにより達成する。この第１条件は簡単に達成しない方が望ましいので、障害釘によって特定入賞口１０ａ，１０ｂに打球が入り難くしたり、特定入賞枠１０ｃに打球が通過し難いようにするとよい。なお特定入賞口１０ａ，１０ｂ及び特定入賞枠１０ｃには各々スイツチ機構が臨み、打球が入ったり通過するとスイツチ機様が瞬間的にオンとなって第１条件の達成を検出する。打球がたまたまいずれかの特定入賞口１０ａ，１０ｂに入ったり特定入賞枠１０ｃを通過して第１条件が達成すると、電気的制御装置によって別遊技が開始する。この別遊技は、図面の実施例によれば３個の可変表示器１１ａ、１１ｂ、１１ｃが高速変化することにより行なわれる。」（第２頁左下欄第１９行〜右下欄第１８行）、
　「この特定条件とは、例えば各可変表示器１１ａ，１１ｂ，１１ｃの窓孔にすべて「７」の数字が揃って停止した場合であり、それ以外の場合には特定条件とはならない。この特定条件は各可変表示器の停止状態を判定回路が判定して決定する。別遊技によって特定条件が達成すると、遊技部７内では特別遊技が開始して遊技者に多大な利益をもたらせる。この特別遊技は、図面の実施例では遊技部７に設けた特別変動入賞装置１３が打球を受入れ易い状態に変化し、この状態を一定時間（例えば３０秒間）継続することにより行われる。」（第３頁右上欄第１〜１３行）。
　　　　
３．本願発明と引用発明との対比検討
　（１）本願発明と引用発明との対比
　本願発明と引用発明とを対比すると、引用発明における、「複数の識別情報を可変表示する可変表示装置７０」、「始動入賞口１５ａ乃至１５ｃ」、「入賞領域５８を開閉板５９によって覆う遊技者に不利な状態から、上記入賞領域５８を上記開閉板５９から開放する遊技者に有利な状態に変換可能な可変入賞球装置５６」、「景品玉」、「パチンコ遊技機」は、それぞれ、本願発明における、「複数の図柄を可変表示する図柄表示装置」、「図柄始動口」、「遊技者に不利な第１状態から遊技者に有利な第２状態に変換可能な変動入賞装置」、「賞球」、「パチンコ機」に相当する。
　また、引用発明における、「入球した打球を遊技盤の背面側に取り込んで所定個数の景品玉を払い出すポケット型の始動入賞口１５ｂ及び１５ｃ」及び「入球した打球を遊技盤の背面側に取り込んで上記所定個数よりも比較的少ない個数の景品玉を払い出すポケット型の始動入賞口１５ａ」は、本願発明における、「入球した打球を遊技盤の背面側に取り込んで賞球排出を伴うポケット型の第１図柄始動口」及び「入球した打球を通過させて賞球排出を伴わない通過型の第２図柄始動口」と対比して、「入球した打球を遊技盤の背面側に取り込んで所定個数の賞球排出を伴うポケット型の第１図柄始動口」及び「入球した打球に応じて上記所定個数よりも比較的少ない個数の賞球排出を伴う第２図柄始動口」において一致する。
　そうすると、本願発明と引用発明の両者は、以下の点でそれぞれ、一致ならびに相違するものと認められる。
　一致点．「複数の図柄を可変表示する図柄表示装置と、該図柄表示装置を回転表示させることのできる図柄始動口と、上記図柄表示装置が停止表示する図柄の組合せ態様が所定の態様のときに、遊技者に不利な第１状態から遊技者に有利な第２状態に変換可能な変動入賞装置とを配設したパチンコ機において、上記図柄始動口を、入球した打球を遊技盤の背面側に取り込んで所定個数の賞球排出を伴うポケット型の第１図柄始動口と、入球した打球に応じて上記所定個数よりも比較的少ない個数の賞球排出を伴う第２図柄始動口とで構成したパチンコ機。」
　相違点Ａ．本願発明では、図柄始動口を、入球した打球を遊技盤の背面側に取り込んで賞球排出を伴うポケット型の第１図柄始動口と、入球した打球を通過させて賞球排出を伴わない通過型の第２図柄始動口とで構成したのに対して、引用発明では、入球した打球を遊技盤の背面側に取り込んで所定個数の賞球排出を伴うポケット型の図柄始動口（始動入賞口１５ｂ及び１５ｃ）と、入球した打球を遊技盤の背面側に取り込んで上記所定個数よりも比較的少ない個数の賞球排出を伴うポケット型の図柄始動口（始動入賞口１５ａ）とで構成した点。
　相違点Ｂ．本願発明では、入球した打球を遊技盤の背面側に取り込んで賞球排出を伴うポケット型の第１図柄始動口と、入球した打球を通過させて賞球排出を伴わない通過型の第２図柄始動口を上下に配置したのに対して、引用発明では、各図柄始動口（始動入賞口１５ａ乃至１５ｃ）をほゞ水平に配置した点。
　　　　
　（２）相違点の検討
　i．相違点Ａについて
　引用発明には、図柄始動口を、賞球排出数が所定個数のポケット型の図柄始動口（始動入賞口１５ｂ及び１５ｃ）と、賞球排出数が上記所定個数よりも比較的少ない個数のポケット型の図柄始動口（始動入賞口１５ａ）とで構成するものの変形として、打球が単に通過して賞球を排出しない通過型の図柄始動口で構成することが開示されているから、引用発明における、賞球排出数が比較的少ない個数のポケット型の図柄始動口（始動入賞口１５ａ）の構成に代えて、打球が単に通過して賞球を排出しない通過型の図柄始動口の構成を採用して、前記相違点Ａにかかる本願発明の構成のようにすることは、当業者が容易に想到できるものである。
　また、第２引用例〔特開昭６３−２４９７１号公報〕には、図柄始動口である特定入賞口１０７，１０８に入賞した遊技球に対しては、他の一般の入賞口１０６，１０９に入賞した遊技球に対してよりも、少ない数の賞品球を排出させるようにしたパチンコ遊技機が記載されるとともに、第３引用例〔特開昭５８−２２０８０号公報〕には、図柄始動口を、入球した打球を取り込むポケット型の特定入賞口１０ａ及び１０ｂと、打球が通過する通過型の特定入賞枠１０ｃとから構成したパチンコ機が記載されているから、第１引用例乃至第３引用例に記載された発明に基づいて、前記相違点Ａにかかる本願発明の構成のようにすることは、当業者が容易に想到できるものである。
　ii．相違点Ｂについて
　パチンコ機における複数の図柄始動口の配置形態について、引用発明に、図柄始動口である始動入賞口１５ａ乃至１５ｃをほゞ水平に配置した例が、また、第２引用例及び第３引用例に、それぞれ、図柄始動口である特定入賞口１０７及び１０８、あるいは図柄始動口１０ａ乃至１０ｃを上下に配置した例が記載されているように、遊技盤に設定する打球の流下経路や遊技者と遊技店の利益バランス等を考慮して、複数の図柄始動口を水平あるいは上下に配置することは、いずれも周知慣用技術である。
　そして、複数の図柄始動口をポケット型の第１図柄始動口と通過型の第２図柄始動口とから構成したときに、これを前記周知慣用技術に基づいて上下に配置する程度のことは、例えば、特開平２−７１７７８号公報に記載（第３頁左上欄第１８行〜右上欄第１５行）されるように、当業者が適宜に採用すべき配置形態に過ぎないというべきである。
　そうすると、引用発明に記載されたほゞ水平に配置した各図柄始動口（始動入賞口１５ａ乃至１５ｃ）について、これを前記相違点Ａについて検討したようにポケット型と通過型の各図柄始動口とから構成したときに、前記各図柄始動口をほゞ水平に配置することに代えて上下に配置する形態を採用して、前記相違点Ｂにかかる本願発明の構成のようにすることは、前記周知慣用技術に基づいて当業者が容易に想到できるものである。
　なお、出願人は、図柄始動口を上下に配置することは、第２引用例及び第３引用例にも一切記載されていない旨主張しているが、図柄始動口を上下に配置することが第２引用例及び第３引用例に記載されていることは、前記に検討したとおりであり、また、出願人としては図柄始動口を上下に隣接して配置する構成を主張する趣旨だとしても、該隣接構成は特許請求の範囲の請求項１の記載に根拠がなく、しかも、単なる設計的事項という程度のものであるから、いずれにせよ、前記主張は採用できない。
　iii．作用効果について
　本願発明における作用効果は、第１引用例乃至第３引用例に記載の発明に基づいて当業者が当然予測できるものと認められる。
　　　
　（３）まとめ
　よって、本願発明は、第１引用例乃至第３引用例に記載された発明に基づいて当業者が容易に発明をすることができたものであるから、特許法第２９条第２項の規定により特許を受けることができない。
　　　　　　　
４．むすび
　以上のとおり、本願請求項１の発明は、第１引用例乃至第３引用例に記載の発明に基づいて当業者が容易に発明をすることができたものと認められるので、特許法第２９条第２項の規定により特許を受けることができない。
　したがって、他の請求項に係る発明について検討するまでもなく、本願は拒絶すべきものである。
　よって、結論のとおり審決する。